(57)【要約】      （修正有）【課題】共用給水立管の点検や共用給水立管の更新工事が容易であり、メーターボックスの奥行寸法を小さくして共用廊下の広がりを小さくすることにより、建物全体の床面積の低減が可能で、建築コストの低減に寄与する共同住宅のメーターボックスを提供する。【解決手段】共用廊下３における戸境壁の延長線を跨ぐ位置に設置されたメーターボックスＭＢにおいて、中央部に雨水排水立管８と電気幹線９を配置し、左右両端部に共用ガス立管７と共用給水立管６を、これらと雨水排水立管８が壁面Ｗに沿って横一列に並んだ状態に配置し、雨水排水立管と共用給水立管の間、雨水排水立管と共用ガス立管の間に、夫々、ガス湯沸器１０を３本の立管と横並びした状態に配置し、両ガス湯沸器１０の下方で且つ両ガス湯沸器の前面より後方の位置に、電気メーター、ガスメーター、水道メーターを上からこの順に並べて配置する。【選択図】図４
2015158075.tif 000002
【特許請求の範囲】
【請求項１】
共同住宅の共用廊下における戸境壁の延長線を跨ぐ位置に設置され、共用廊下の壁面と
平行な扉付き前面板部とその左右両端から後方へ延設された側板部とを備えたメーターボ
ックスカバーによって共用廊下と区画され、共用給水立管、共用ガス立管、雨水排水立管
、電気幹線と、戸境壁の両側の住戸に対応するガス湯沸器、水道メーター、ガスメーター
、電気メーターとが収納されたメーターボックスであって、メーターボックスの中央部に
雨水排水立管と電気幹線を配置し、メーターボックスの左右両端部に共用ガス立管と共用
給水立管を、これら両立管と前記雨水排水立管が壁面に沿って横一列に並んだ状態に配置
し、雨水排水立管と共用給水立管の間、雨水排水立管と共用ガス立管の間に、夫々、ガス
湯沸器を前記３本の立管と横並びした状態に配置し、両ガス湯沸器の下方で且つ両ガス湯
沸器の前面より後方の位置に、各々、電気メーター、ガスメーター、水道メーターを上下
に並べて配置したことを特徴とする共同住宅のメーターボックス。
【請求項２】
雨水排水立管を戸境壁の延長線上の位置に配置し、共用廊下の下面には、雨水排水立管
を挟む位置に２本の片持ち小梁を設けると共に、２本の片持ち小梁の間に共用廊下先端部
の排水溝から雨水排水立管へ雨水を導く横樋を設けてあることを特徴とする請求項１に記
載の共同住宅のメーターボックス。
【発明の詳細な説明】
【技術分野】
【０００１】
本発明は、共同住宅のメーターボックスに関し、詳しくは、共同住宅の共用廊下におけ
る戸境壁の延長線を跨ぐ位置に設置され、共用廊下の壁面と平行な扉付き前面板部とその
左右両端から後方へ延設された側板部とを備えたメーターボックスカバーによって共用廊
下と区画され、共用給水立管、共用ガス立管、雨水排水立管、電気幹線と、戸境壁の両側
の住戸に対応するガス湯沸器、水道メーター、ガスメーター、電気メーターとが収納され
たメーターボックスに関する。
【背景技術】
【０００２】
この種のメーターボックスとしては、特許文献１、２等が知られている。これらのメー
ターボックスでは、何れも、共用給水立管、共用ガス立管、雨水排水立管、電気幹線等の
共用設備配管（立管類）と、戸境壁の両側の住戸に対応するガス湯沸器やメーター類とを
コンパクトに収納するために、共用給水立管や共用ガス立管等の立管類を共用廊下の壁面
に沿って配置し、ガス湯沸器やメーター類を立管類の前面に配置していた。
【０００３】
これは、施工工程上、共用給水立管や共用ガス立管等の立管類を設置した後、メーター
類やガス湯沸器を設置するので、建物新築時の施工面からは理にかなった配置と言える。
【０００４】
しかしながら、長期にわたって共同住宅を使用するためには、共用給水立管等を更新す
る必要が生じるが、従来のメーターボックスでは、共用給水立管や共用ガス立管の前面に
メーター類やガス湯沸器があるため、共用給水立管等の更新のための作業に支障が生じる
ことがある。
【０００５】
また、共用給水立管や共用ガス立管の前面にメーター類やガス湯沸器を配置すると、メ
ーターボックスの奥行寸法（共用廊下の壁面からの出幅）が大きくなり、それだけ共用廊
下の有効幅が狭くなるので、共用廊下全体を広く構築するか、あるいは、メーターボック
スの位置ごとに共用廊下を外側に張り出して共用廊下の有効幅を確保することが必要とな
り、建築コスト面でも不利である。
【先行技術文献】
【特許文献】
【０００６】
【特許文献１】実公昭６０−１７６３１号公報
【特許文献２】特開平８−１２８１４７号公報
【発明の概要】
【発明が解決しようとする課題】
【０００７】
本発明は、上述した問題点を踏まえてなされたものであって、その目的とするところは
、共用給水立管や共用ガス立管の点検が容易であるばかりでなく、共用給水立管を交換す
るなどの更新工事が必要になったときに施工が容易になり、しかも、メーターボックスの
奥行寸法（共用廊下の壁面からの出幅）を小さくでき、その分だけ共用廊下の広がりを小
さくすることにより、建物全体の床面積の低減が可能で、建築コストの低減にも寄与する
共同住宅のメーターボックスを提供することにある。
【課題を解決するための手段】
【０００８】
上記の目的を達成するために、本発明が講じた技術的手段は、次の通りである。即ち、
請求項１の発明は、共同住宅の共用廊下における戸境壁の延長線を跨ぐ位置に設置され、
共用廊下の壁面と平行な扉付き前面板部とその左右両端から後方へ延設された側板部とを
備えたメーターボックスカバーによって共用廊下と区画され、共用給水立管、共用ガス立
管、雨水排水立管、電気幹線と、戸境壁の両側の住戸に対応するガス湯沸器、水道メータ
ー、ガスメーター、電気メーターとが収納されたメーターボックスであって、メーターボ
ックスの中央部に雨水排水立管と電気幹線を配置し、メーターボックスの左右両端部に共
用ガス立管と共用給水立管を、これら両立管と前記雨水排水立管が壁面に沿って横一列に
並んだ状態に配置し、雨水排水立管と共用給水立管の間、雨水排水立管と共用ガス立管の
間に、夫々、ガス湯沸器を前記３本の立管と横並びした状態に配置し、両ガス湯沸器の下
方で且つ両ガス湯沸器の前面より後方の位置に、各々、電気メーター、ガスメーター、水
道メーターを上下に並べて配置したことを特徴としている。
【０００９】
請求項２の発明は、請求項１に記載の共同住宅のメーターボックスであって、雨水排水
立管を戸境壁の延長線上の位置に配置し、共用廊下の下面には、雨水排水立管を挟む位置
に２本の片持ち小梁を設けると共に、２本の片持ち小梁の間に共用廊下先端部の排水溝か
ら雨水排水立管へ雨水を導く横樋を設けてあることを特徴としている。
【発明の効果】
【００１０】
請求項１に記載の発明によれば、メーターボックスの中央部に雨水排水立管と電気幹線
を配置し、メーターボックスの左右両端部に共用ガス立管と共用給水立管を、これら両立
管と前記雨水排水立管が壁面に沿って横一列に並んだ状態に配置し、雨水排水立管と共用
給水立管の間、雨水排水立管と共用ガス立管の間に、夫々、ガス湯沸器を前記３本の立管
と横並びした状態に配置し、両ガス湯沸器の下方で且つ両ガス湯沸器の前面より後方の位
置に、各々、電気メーター、ガスメーター、水道メーターを上下に並べて配置したので、
共用給水立管や共用ガス立管の前面にメーター類やガス湯沸器が存在せず、共用給水立管
や共用ガス立管の点検が容易であり、共用給水立管を交換するなどの更新工事が必要にな
ったときにも、メーター類やガス湯沸器が障害物とならず、施工が容易になる効果がある
。
【００１１】
また、共用給水立管や共用ガス立管の前面にメーター類やガス湯沸器を配置すると、メ
ーターボックスの奥行寸法（共用廊下の壁面からの出幅）が大きくなり、それだけ共用廊
下の有効幅が狭くなるので、共用廊下全体を広く構築するか、あるいは、メーターボック
スの位置ごとに共用廊下を外側に張り出して共用廊下の有効幅を確保することが必要とな
り、建築コスト面でも不利であるが、請求項１に記載の発明によれば、ガス湯沸器を共用
給水立管や共用ガス立管等の立管類と横並びした状態に配置し、両ガス湯沸器の下方で且
つ両ガス湯沸器の前面より後方の位置に、各々、電気メーター、ガスメーター、水道メー
ター等のメーター類を配置したので、メーターボックスの奥行寸法（共用廊下の壁面から
の出幅）を小さくでき、その分だけ共用廊下の広がりを小さくすることにより、建物全体
の床面積の低減が可能で、建築コストの低減にも寄与し得る効果がある。
【００１２】
請求項２に記載の発明によれば、雨水排水立管を戸境壁の延長線上の位置に配置し、共
用廊下の下面には、雨水排水立管を挟む位置に２本の片持ち小梁を設けると共に、２本の
片持ち小梁の間に共用廊下先端部の排水溝から雨水排水立管へ雨水を導く横樋を設けたの
で、上述した効果に加えて、共用廊下を歩行する人や共同住宅を遠くから眺める人から見
て、横樋が目立たず、共同住宅の外観向上に寄与し得る効果がある。
【図面の簡単な説明】
【００１３】
【図１】本発明の実施形態を例示する共同住宅の要部の概略平面図である。
【図２】本発明に係る共同住宅のメーターボックスの概略縦断側面図である。
【図３】本発明に係る共同住宅のメーターボックスの縦断正面図である。
【図４】本発明に係る共同住宅のメーターボックスの横断平面図である。
【発明を実施するための形態】
【００１４】
以下、本発明の実施形態を図面に基づいて説明する。図１は共同住宅の一般階における
要部の概略平面図である。図１において、１は戸境壁２を隔てて配置された複数の住戸、
３は桁行方向に並ぶ住戸１群の梁間方向一側に配置された屋外解放型の共用廊下、４は間
柱である。共用廊下３には、戸境壁２の両側に位置する２戸の住戸1に対して１個ずつメ
ーターボックスＭＢが設置されている。
【００１５】
前記メーターボックスＭＢは、図２〜図４に示すように、戸境壁２の延長線を跨ぐ位置
に設置され、共用廊下３の壁面と平行な観音開き式の扉付き前面板部５ａとその左右両端
から後方へ延設された側板部５ｂとを備えたメーターボックスカバー５によって共用廊下
３と区画され、共用給水立管６、共用ガス立管７、雨水排水立管８、電気幹線（電話回線
、テレビ回線、インターネット回線等の弱電線９ａと電力用の強電線９ｂ）９と、戸境壁
２の両側の住戸１に対応するガス湯沸器１０、水道メーター１１、ガスメーター１２、電
気メーター１３が収納されている。図示しないが、メーターボックスカバー５の下端には
共用廊下３の上面（床面）に当接するねじ式ジャッキを備えた脚部が設けられており、メ
ーターボックスカバー５の上端には上階の共用廊下３の下面（天井面）に当接するねじ式
ジャッキを備えた上下逆向きの脚部が設けられている。
【００１６】
前記メーターボックスＭＢに付いて、より詳しく説明すると、前記メーターボックスＭ
Ｂは、メーターボックスＭＢの中央部に雨水排水立管８と電気幹線９を配置し、メーター
ボックスＭＢの左右両端部に共用ガス立管７と共用給水立管６を、これら両立管６,７と
前記雨水排水立管８が壁面Ｗに沿って横一列に並んだ状態に配置し、雨水排水立管８と共
用給水立管６の間、雨水排水立管８と共用ガス立管７の間に、夫々、ガス湯沸器１０を前
記３本の立管６,７,８と横並びした状態に配置し、両ガス湯沸器１０の下方で且つ両ガス
湯沸器１０の前面より後方の位置に、各々、電気メーター１３、ガスメーター１２、水道
メーター１１等のメーター類を上からこの順に並べて配置し、両ガス湯沸器１０の間で且
つ両ガス湯沸器１０の前面より後方の位置に、光用ＰＤ板（光ケーブル接続箱）、ＴＶブ
ースター、強電用ジョイントボックス、弱電用ジョイントボックス、インターフォン用中
継器等が収納された電気設備機器１４を配置したことを特徴としている。図中の１５…は
、メーターボックスＭＢの壁面Ｗを貫通して戸境壁２の両側の住戸１内に、弱電線、電気
配線、給湯管、給水管、ガス管等を導入するための配管類である。
【００１７】
尚、図示の例では、雨水排水立管８が戸境壁２の延長線上の位置に配置されている。共
用廊下３の下面（天井面）には、雨水排水立管８を挟む位置に２本の片持ち小梁１６が設
けられており、２本の片持ち小梁１６の間には、共用廊下３の先端部に形成された排水溝
１７から雨水排水立管８へ雨水を導くための横樋１８が設けられている。
【００１８】
上記の構成によれば、メーターボックスＭＢの中央部に雨水排水立管８と電気幹線９を
配置し、メーターボックスＭＢの左右両端部に共用ガス立管７と共用給水立管６を、これ
ら両立管６,７と前記雨水排水立管８が壁面Ｗに沿って横一列に並んだ状態に配置し、雨
水排水立管８と共用給水立管６の間、雨水排水立管８と共用ガス立管７の間に、夫々、ガ
ス湯沸器１０を前記３本の立管６,７,８と横並びした状態に配置し、両ガス湯沸器１０の
下方で且つ両ガス湯沸器１０の前面より後方の位置に、各々、電気メーター１３、ガスメ
ーター１２、水道メーター１１等のメーター類を上からこの順に並べて配置したので、共
用給水立管６や共用ガス立管７の前面にメーター類やガス湯沸器１０が存在せず、共用給
水立管６や共用ガス立管７の点検が容易であり、共用給水立管６を交換するなどの更新工
事が必要になったときにも、メーター類やガス湯沸器１０が障害物とならず、施工が容易
である。
【００１９】
また、共用給水立管６や共用ガス立管７の前面にメーター類やガス湯沸器１０を配置す
ると、メーターボックスＭＢの奥行寸法（共用廊下の壁面からの出幅）が大きくなり、そ
れだけ共用廊下３の有効幅が狭くなるので、共用廊下３全体を広く構築するか、あるいは
、メーターボックスＭＢの位置ごとに共用廊下３を外側に張り出して共用廊下３の有効幅
を確保することが必要となり、建築コスト面でも不利であるが、上記の構成によれば、ガ
ス湯沸器１０を共用給水立管６や共用ガス立管７等の立管類と横並びした状態に配置し、
両ガス湯沸器１０の下方で且つ両ガス湯沸器１０の前面より後方の位置に、各々、電気メ
ーター１３、ガスメーター１２、水道メーター１１等のメーター類を上下に並べて配置し
たので、メーターボックスＭＢの奥行寸法（共用廊下３の壁面Ｗからの出幅）を小さくで
き、その分だけ共用廊下３の広がりを小さくすることにより、建物全体の床面積の低減が
可能で、建築コストの低減にも寄与し得るのである。
【００２０】
しかも、雨水排水立管８を戸境壁２の延長線上の位置に配置し、共用廊下３の下面には
、雨水排水立管８を挟む位置に２本の片持ち小梁１６を設けると共に、２本の片持ち小梁
１６の間に共用廊下先端部の排水溝１７から雨水排水立管８へ雨水を導く横樋１８を設け
たので、横樋１８のメーターボックスＭＢから張り出した部分が片持ち小梁１６で視覚的
に隠蔽され、共用廊下３を歩行する人や共同住宅を遠くから眺める人から見て、横樋１８
が目立たなくなり、共同住宅の外観向上に寄与し得るのである。
【符号の説明】
【００２１】
ＭＢ  メーターボックス
Ｗ  壁面
１  住戸
２  戸境壁
３  共用廊下
４  間柱
５  メーターボックスカバー
５ａ  扉付き前面板部
５ｂ  側板部
６  共用給水立管
７  共用ガス立管
８  雨水排水立管
９  電気幹線
９ａ  弱電線
９ｂ  強電線
１０  ガス湯沸器
１１  水道メーター
１２  ガスメーター
１３  電気メーター
１４  電気設備機器
１５  配管類
１６  片持ち小梁
１７  排水溝
１８  横樋
【図１】
2015158075.tif 000003
【図２】
2015158075.tif 000004
【図３】
2015158075.tif 000005
【図４】
2015158075.tif 000006